(57)【要約】      （修正有）【課題】本発明は階調表現力を向上させることができるプラズマディスプレイ装置を提供する。【解決手段】本発明は複数の電極を含むプラズマディスプレイパネルと、複数のサブフィールドのサステイン期間の内電極に複数のサステインパルスを供給するスキャン駆動部、及び複数のサブフィールドの内で少なくとも何れか一つのサブフィールドのサステイン期間に電極に供給する少なくとも何れか一つのサステインパルスの上昇時間を残りサブフィールドのサステイン期間に電極に供給するサステインパルスの上昇時間と異なるようにして、何れか一つのサブフィールドのサステイン期間に電極に供給される複数のサステインパルスの内で少なくとも何れか一つのサステインパルスの上昇時間を残りサステインパルスの上昇時間と異なるようにするタイミングコントロール部を含む。【選択図】図１
2007072465.tif 000002
【特許請求の範囲】
【請求項１】
複数の電極を含むプラズマディスプレイパネルと、
複数のサブフィールドのサステイン期間の内前記電極に複数のサステインパルスを供給するスキャン駆動部と、
前記複数のサブフィールドの内で少なくとも何れか一つのサブフィールドのサステイン期間に前記電極に供給する少なくとも何れか一つのサステインパルスの上昇時間を残りサブフィールドのサステイン期間に前記電極に供給するサステインパルスの上昇時間と異なるようにして、
前記何れか一つのサブフィールドのサステイン期間に前記電極に供給される複数のサステインパルスの内で少なくとも何れか一つのサステインパルスの上昇時間を残りサステインパルスの上昇時間と異なるようにするタイミングコントロール部と
を含むプラズマディスプレイ装置。
【請求項２】
一つのサブフィールドのサステイン期間内で前記複数のサステインパルスの上昇時間は時間的手順によって増加することを特徴とする、請求項１記載のプラズマディスプレイ装置。
【請求項３】
一つのサブフィールドのサステイン期間内で前記複数のサステインパルスの上昇時間は時間的手順によって減少することを特徴とする、請求項１記載のプラズマディスプレイ装置。
【請求項４】
一つのサブフィールドのサステイン期間内で前記複数のサステインパルスの上昇時間は時間的手順によって増加してから減少することを特徴とする、請求項１記載のプラズマディスプレイ装置。
【請求項５】
前記サステインパルスの上昇時間は前記スキャン駆動部に含まれたサステイン電圧供給スイッチのターンオン時間によって調節されることを特徴とする、請求項１記載のプラズマディスプレイ装置。
【請求項６】
一つのサブフィールドのサステイン期間内で前記複数のサステインパルスは時間的手順によって階調明るさが増加する方向に前記電極に供給されることを特徴とする、請求項１記載のプラズマディスプレイ装置。
【請求項７】
一つのサブフィールドのサステイン期間内で前記複数のサステインパルスは時間的手順によって階調明るさが減少する方向に前記電極に供給されることを特徴とする請求項１記載のプラズマディスプレイ装置。
【請求項８】
一つのサブフィールドのサステイン期間内で前記複数のサステインパルスは時間的手順によって階調明るさが増加してから減少する方向に前記電極に供給されることを特徴とする、請求項１記載のプラズマディスプレイ装置。
【請求項９】
前記複数のサブフィールドのサステイン期間に前記電極に供給される複数のサステインパルスの電圧は実質的に皆等しいことを特徴とする、請求項１記載のプラズマディスプレイ装置。
【請求項１０】
前記複数のサブフィールドのサステイン期間に前記電極に供給される複数のサステインパルスの電圧が維持される時間は実質的に皆等しいことを特徴とする、請求項１記載のプラズマディスプレイ装置。
【請求項１１】
前記複数のサブフィールドの内で低階調サブフィールドで前記電極に供給される少なくとも何れか一つのサステインパルスの上昇時間は前記複数のサブフィールドの内で残りサブフィールドで前記電極に供給されるサステインパルスの上昇時間よりさらに長いことを特徴とする、請求項１記載のプラズマディスプレイ装置。
【請求項１２】
前記低階調サブフィールドの数は一つのフレーム内の全体サブフィールド数の内で１／２値であることを特徴とする、請求項１１記載のプラズマディスプレイ装置。
【請求項１３】
前記複数のサブフィールドのそれぞれのサステイン期間に前記電極に供給するサステインパルスの数は皆等しいことを特徴とする、請求項１記載のプラズマディスプレイ装置。
【請求項１４】
複数の電極を含むプラズマディスプレイパネルと、
複数のサブフィールドのそれぞれのサステイン期間の内前記電極に等しいサステインパルス数を供給するスキャン駆動部と、
前記複数のサブフィールドの内で少なくとも何れか一つのサブフィールドのサステイン期間で前記電極に印加される少なくとも何れか一つのサステインパルスの上昇時間を残りサブフィールドのサステイン期間で前記電極に印加するサステインパルスの上昇時間と異なるようにするタイミングコントロール部と、
を含むプラズマディスプレイ装置。
【請求項１５】
一つのサブフィールドのサステイン期間内で前記複数のサステインパルスの上昇時間は時間的手順によって増加することを特徴とする、請求項１４記載のプラズマディスプレイ装置。
【請求項１６】
一つのサブフィールドのサステイン期間内で前記複数のサステインパルスの上昇時間は時間的手順によって減少することを特徴とする、請求項１４記載のプラズマディスプレイ装置。
【請求項１７】
一つのサブフィールドのサステイン期間内で前記複数のサステインパルスの上昇時間は時間的手順によって増加してから減少することを特徴とする、請求項１４記載のプラズマディスプレイ装置。
【請求項１８】
前記サステインパルスの上昇時間は前記スキャン駆動部に含まれたサステイン電圧供給スイッチのターンオン時間によって調節されることを特徴とする、請求項１４記載のプラズマディスプレイ装置。
【請求項１９】
前記複数のサブフィールドのサステイン期間に前記電極に供給される複数のサステインパルスの電圧は実質的に皆等しいことを特徴とする、請求項１４記載のプラズマディスプレイ装置。
【請求項２０】
前記複数のサブフィールドのサステイン期間に前記電極に供給される複数のサステインパルスの電圧が維持される時間は実質的に皆等しいことを特徴とする、請求項１４記載のプラズマディスプレイ装置。
【発明の詳細な説明】
【技術分野】
【０００１】
本発明はプラズマディスプレイ装置に関する。
【背景技術】
【０００２】
一般的にプラズマディスプレイ装置は複数の電極が形成されたプラズマディスプレイパネルとこのようなプラズマディスプレイパネルの電極を駆動させるための駆動部をからなる。
【０００３】
プラズマディスプレイパネルは前面基板を含む前面パネルと背面基板を含む背面パネルが合着されて成す。
【０００４】
前面基板と背面基板の間で放電セルが形成される。
【０００５】
駆動部はフレーム（Ｆｒａｍｅ）の複数のサブフィールド（Ｓｕｂｆｉｅｌｄ）でこのようなプラズマディスプレイパネルの放電セルに所定の駆動電圧を供給する。それでは、 このような駆動電圧によってプラズマディスプレイパネルの放電セル内でリセット放電、 アドレス放電、サステイン放電などの放電が発生する。
【０００６】
このように、所定の駆動電圧が供給されて放電セル内で放電される時、放電セル内に充填されている放電ガスは真空紫外線（Ｖａｃｕｕｍ Ｕｌｔｒａｖｉｏｌｅｔ ｒａｙｓ） などの高周波光を発生させる。
【０００７】
高周波光は放電セル内に形成された蛍光体を発光させて、ここで蛍光体層が可視光線を発生させることで映像が具現される。
【０００８】
このようなプラズマディスプレイ装置は薄く軽い構成が可能なので次世代表示装置として脚光を浴びている。
【０００９】
従来のプラズマディスプレイ装置ではフレームのすべてのサブフィールドでサステイン期間に一対以上のサステインパルスを使って映像の階調(Ｇｒａｙ Ｌｅｖｅｌ）を具現する。
【００１０】
これによって、従来のプラズマディスプレイ装置で具現可能な階調は１、２、３などのような定数階調だけである。
【発明の開示】
【発明が解決しようとする課題】
【００１１】
本発明の目的は、階調表現力を向上させることができるプラズマディスプレイ装置を提供することにある。
【課題を解決するための手段】
【００１２】
本発明の一つの実施形態によるプラズマディスプレイ装置は複数の電極を含むプラズマディスプレイパネルと、複数のサブフィールドのサステイン期間の内電極に複数のサステインパルスを供給するスキャン駆動部と、複数のサブフィールドの内で少なくとも何れか一つのサブフィールドのサステイン期間に電極に供給する少なくとも何れか一つのサステインパルスの上昇時間を残りサブフィールドのサステイン期間に電極に供給するサステインパルスの上昇時間と異なるようにして、何れか一つのサブフィールドのサステイン期間に電極に供給される複数のサステインパルスの内で少なくとも何れか一つのサステインパルスの上昇時間を残りサステインパルスの上昇時間と異なるようにするタイミングコントロール部を含む。
【００１３】
Ｉｎ ａｎｏｔｈｅｒ ａｓｐｅｃｔ、本発明の一つの実施形態によるプラズマディスプレイ装置は複数の電極を含むプラズマディスプレイパネル、複数のサブフィールドのそれぞれのサステイン期間の内前記電極に等しいサステインパルス数を供給するスキャン駆動部と、複数のサブフィールドの内で少なくとも何れか一つのサブフィールドのサステイン期間で電極に印加される少なくとも何れか一つのサステインパルスの上昇時間を残りサブフィールドのサステイン期間で前記電極に印加するサステインパルスの上昇時間と異なるようにするタイミングコントロール部を含む。
【００１４】
一つのサステイン期間内で複数のサステインパルスは時間的手順によって階調明るさが増加する方向に、 減少する方向にあるいは増加してから減少する方向に電極に供給される。
【発明の効果】
【００１５】
このような方法でプラズマディスプレイ装置を駆動するようになれば、プラズマディスプレイパネルに表示される映像の階調表現力をより纎細にできる。
【発明を実施するための最良の形態】
【００１６】
以下では本発明による具体的な実施形態を添付された図面を参照して説明する。
【００１７】
図１は本発明の一つの実施形態によるプラズマディスプレイ装置を示すブロック図である。
【００１８】
図１を参照すれば、プラズマディスプレイ装置は画面が表示されるプラズマディスプレイパネルとこれを駆動するための色々駆動部を含む。
【００１９】
先ず、ＡＶ部１０では複合信号をの入力を受けてアナログＲ、Ｇ、Ｂと水平及び垂直同期信号を分離して、輝度信号の平均値にあたるＡＰＬ（Ａｖｅｒａｇｅ Ｐｉｃｔｕｒｅ Ｌｅｖｅｌ）を求めてＡＤＣ部２０に供給する。このＡＰＬはＰＤＰ−ＴＶ システムの明るさ改善のために使われる。
【００２０】
ＡＤＣ部２０は入力されたアナログＲ、Ｇ、Ｂ及びＡＰＬ信号を量子化させるのに適当な信号レベルで増幅して、入力同期信号に同期されたクロックを出力する一方、ＡＰＬデータによって前記ＡＤＣ部２０に出力されたＲ、Ｇ、Ｂ データを１:１マッピングして前記メモリー部３０で提供する。
【００２１】
メモリー部３０には階調表現のために映像データが複数個のサブフィールドに再構成されて貯蔵されて、各サブフィールドにあたる映像データはデータインターフェース部４０に提供される。
【００２２】
データインターフェース部４０はメモリー部３０から供給されるＲ、Ｇ、Ｂ データを臨時貯蔵してからアドレス駆動部６０で要求するデータ形態で変換して提供する。
【００２３】
タイミングコントローラー部５０は前記メモリー部３０とデータインターフェース部４０のシステム全体の信号処理を制御して、前記のメモリー部３０からシフトされる一つライン分量のデジタル映像データの入出力を制御する信号を生成するように基準信号とメインクロックを前記のデータインターフェース部４０に提供する。
【００２４】
すなわち、タイミングコントローラー部５０はアドレス駆動部６０及びスキャン駆動部７０で要するスイッチタイミングを制御するコントロールパルスを生成して、特にサステイン区間でＥＲタイムを相異に調整するためにサステインアップスイッチのタイミングを制御するコントロールパルスを生成する。
【００２５】
高電圧駆動回路部８０は前記タイミングコントローラ部５０で出力される各種コントロールパルスと、ＡＣ／ＤＣ変換部９０で供給されるＤＣ高圧を組み合わせて前記アドレス駆動部６０及びスキャン駆動部７０に駆動パルスを供給する。また、データインターフェース部４０からアドレス駆動部６０に提供されるデータストリームを適当な電圧レベルで高めてプラズマディスプレイパネルに選択的記入が可能にさせる。
【００２６】
ＡＣ／ＤＣ変換部９０では交流電源を入力にして各電極駆動パルスを組み合わせるのに必要な高圧とその外のＤＣ電圧を生成、供給する。
【００２７】
ここで、前記スキャン駆動部７０は放電に必要な駆動電力を最小化するためのエネルギー回収部（ｅｎｅｒｇｙ ｒｅｃｏｖｅｒｙ; 図示せず；以下ＥＲ部)を具備するところ、前記ＥＲ部はスキャン電極（Ｙ）とサステイン電極（Ｚ）に充電される電圧とアドレス電極の間に充電される電圧を回収してこれを次放電の時駆動電圧として再利用されるようにする。
【００２８】
このために前記ＥＲ部はパネルキャパシターとともにＬＣ同調回路を成すインダクター(図示せず)と、パネルキャパシターの充/放電の時損失されるエネルギーが貯蔵されるソースキャパシター (図示せず)を含み構成される。ここで、パネルキャパシターはスキャン電極（Ｙ）とサステイン電極（Ｚ）の間に形成される静電容量を等価的に示すのである。
【００２９】
ＥＲ部での ＬＣ共振の内に前記タイミングコントローラー部５０によってサステインアップスイッチのターンオン時間が制御されることによって、正極性のサステイン電圧源まで電圧レベルが上昇してサステインパルスが形成されるところ、前記ＬＣ共振が開始された時点から前記サステインアップスイッチが導通される前までの時間をサステインパルスの上昇時間(以下、 ＥＲタイム)という。
【００３０】
一方、プラズマディスプレイパネルの構造は図２のように第１基板と第２基板が一定なギャップを持ってお互いに平行に合着される。
【００３１】
第１基板１には誘電体層２及び保護膜３で覆われたスキャン電極４及びサステイン電極６が対を成して平行に設置される。
【００３２】
スキャン電極４及びサステイン電極６はそれぞれ透明電極と金属電極に形成されることが望ましく、誘電体層２表面には保護膜３が形成される。
【００３３】
第２基板６には絶縁体層７で覆われた複数のアドレス電極８が設置される。アドレス電極８の間にある絶縁体層７上には隔壁９が形成されているし、絶縁体層７の表面及び隔壁９に蛍光体１０が形成される。
【００３４】
この時、第１基板１及び第２基板６はスキャン/サステイン電極（４、５）とアドレス電極８が放電空間１１を形成するように対向して配置されて、放電空間が一つの放電セル（Ｐ）を形成する。
【００３５】
放電空間１１には放電ガスが充電されていて、Ｒ、Ｇ、Ｂの蛍光体１０は放電の時紫外線によって励起されて発光する。
【００３６】
放電セルは一つの色を発光する領域としてサブピクセルを成して、Ｒ、Ｇ、Ｂを表示する３個のサブピクセルが１画素を表示する１ピクセル（Ｐ）を成す。
【００３７】
このような構造を持つプラズマディスプレイパネルを駆動するための方法は次図３のようである。
【００３８】
図３に示すのように、プラズマディスプレイパネルの駆動方法は画面を表示する一つのフレーム（Ｆ）が複数のサブフィールド（ＳＦ）を含み、複数のサブフィールドそれぞれはまたリセット区間（Ｒ）、アドレス区間（Ａ）、サステイン区間（Ｓ）で分けられて駆動する。
【００３９】
図３に示す駆動パルスは ７番目サブフィールドから各電極に印加されるパルスを示したこととして、アドレス電極はＸ電極で表示し、スキャン電極をＹ電極で、サステイン電極をＺ電極で表示した。
【００４０】
先ず、リセット区間（Ｒ）は以前のサステイン放電によって形成された壁電荷状態を消去して、各セルの状態を初期化させる区間であり、アドレス区間（Ａ）は放電しようとするセルを選択する区間である。
【００４１】
サステイン区間（Ｓ）は選択されたセルに実際に画像を表示するための放電を遂行する区間として、サステイン区間になればスキャン電極及びサステイン電極にサステインパルスが交互に印加されてサステイン放電が行われて映像が表示される。
【００４２】
例えば、２５６段階の階調表現のためには各サブフィールドごとに  １：２：４：８：１６：３２：６４：１２８の比のサステインパルス個数の比が割り当てされて、前記サステインパルス数は単位サブフィールドでの発光量と比例する。
【００４３】
したがって、サブフィールド１でのサステインパルス数が１個であり、その単位発光量が１ｃｄ／ｍ２とすると、８個のサブフィールドの組合を通じて０〜２５５ｃｄ／ｍ２の階調表現ができる。
【００４４】
このようにプラズマディスプレイ装置は画面が表示されるプラズマディスプレイパネルの電極に印加されるサステインパルスの数を調節して映像の階調表現ができるが、さらに細密な階調を表現するためにサステインパルスのＥＲタイムを調節することができる。
【００４５】
すなわち、前に説明したプラズマディスプレイ装置のタイミングコントロール部はプラズマディスプレイパネル駆動の時複数のサブフィールドの内で少なくとも何れか一つのサブフィールドのサステイン期間にスキャン電極とサステイン電極に供給するサステインパルスのＥＲタイムを残りサブフィールドのサステイン期間にスキャン電極とサステイン電極に供給するサステインパルスのＥＲタイムと異なるようにすることができる。
【００４６】
また、タイミングコントロール部は少なくとも何れか一つのサブフィールドのサステイン期間にスキャン電極とサステイン電極に供給されるサステインパルスのＥＲタイムを残りサステインパルスのＥＲタイムと異なるようにすることができる。
【００４７】
この場合、ＥＲタイムが他のサステインパルスの数は複数のサステインパルスの内で少なくとも何れか一つのサステインパルスであることがある。
【００４８】
これを具体的に説明すれば、一つのフレームが８個のサブフィールドで成すことと仮定する時、タイミングコントロール部はスキャン駆動部のエネルギー回収回路部に含まれたサステイン電圧供給スイッチのターンオン時間を調節して８個のサブフィールドの内で ７番目サブフィールドのサステイン期間にスキャン電極及び／又はサステイン電極に印加されるサステインパルスの内で何れか一つサステインパルスのＥＲタイムを残り７個のサブフィールドのサステイン期間にスキャン電極及び／又はサステイン電極に印加されるサステインパルスのＥＲタイムと異なるようにする。
【００４９】
また、タイミングコントロール部はこの場合、７番目サブフィールドのサステイン期間にスキャン電極及び／又はサステイン電極に印加されるサステインパルスの内で少なくとも何れか一つのサステインパルスのＥＲタイムを残り同一のサブフィールドのサステイン期間に印加されるサステインパルスのＥＲタイムと異なるようにする。
【００５０】
エネルギー回収回路部に含まれたサステイン電圧供給スイッチはこの技術分野の当業者なら充分に分かる内容なのでこれに対する説明は略する事にする。
【００５１】
図４はサステインパルスのＥＲタイムと輝度の関係を示す図で、図５は本発明の一つの実施形態によるサステインパルスのＥＲタイムを調節する方法を説明するための図である。
【００５２】
先ず、図４を注意深くみれば、サステインパルスのＥＲタイムが長いほどサステイン放電による輝度は低下されることを分かる。したがって本発明の一つの実施形態によるプラズマディスプレイ装置は図５のように、サステイン電圧供給スイッチのターンオン時間を調節してサステインパルスのＥＲタイムを調節する。
【００５３】
（ａ）は前記ＬＣ共振による最高電圧到達時点以後に高電位サステインパルスが印加されるようにサステインアップスイッチを導通させる場合（ｂ）は前記ＬＣ共振による最高電圧到達時点で前記サステインアップスイッチを導通させた場合、（ｃ）は前記ＬＣ共振による最高電圧到達時点以前に前記サステインアップスイッチを導通させ、最後に（ｄ）は前記ＬＣ共振が開始された直ちに前記サステインアップスイッチを導通させた場合のグラフである。
【００５４】
すなわち、（ａ）乃至（ｄ）のＥＲタイムはそれぞれＴａ、Ｔｂ、Ｔｃ、Ｔｄであり、（ｄ）に行くほどＥＲタイムが短縮されるので表現可能な輝度がさらに高くなる。
【００５５】
図６ａ乃至図６ｃは本発明の一つの実施形態によるプラズマディスプレイ装置でプラズマディスプレイパネルの電極に供給されるサステインパルスのＥＲタイムを各サブフィールドで変化させる方法を示す図である。
【００５６】
先ず、図６ａ乃至図６ｃのグラフでＸ軸は時間軸で、Ｙ軸は輝度値を示す軸である。また、グラフに示す点線は従来各サブフィールド期間内にスキャン電極及び／又はサステイン電極に供給される複数のサステインパルス皆が固定されたＥＲタイムを持つことで示すサブフィールドごとにの固定された輝度値で、実線は本発明によるプラズマディスプレイパネルの電極に供給されるサステインパルスの可変されたＥＲタイムによって示す輝度値である。
【００５７】
図６ａを見れば、サブフィールド１で図５の（ａ）のようにＥＲタイムを長くして輝度を低めて、サブフィールド２では（ｂ）のようにＥＲタイムを維持して従来と等しい輝度を表現して、サブフィールド３では（ｃ）のようにＥＲタイムを縮めて輝度を高めて、サブフィールド４では（ｄ）のようにＥＲタイムを縮めて輝度をさらに高めることができる。
【００５８】
すなわち、図６ａに示すプラズマディスプレイ装置の駆動方法の一つの実施形態はＥＲタイムが相異なサブフィールドを一つ以上含み一つのフレームが構成されることを例示する。
【００５９】
望ましくは一つのフレームを構成する複数のサブフィールドの内で低階調サブフィールドでスキャン電極及び／又はサステイン電極に供給されるサステインパルスのＥＲタイムを一つのフレームを構成する残りサブフィールドでスキャン電極及び／又はサステイン電極に供給されるサステインパルスの上昇時間よりさらに長くする。
【００６０】
ここで低階調サブフィールドは輝度加重値が低いサブフィールドで、低階調サブフィールドの数は一つのフレームを構成するサブフィールドの内で１／２値である。勿論、低階調サブフィールドの数はサブフィールドの輝度しきい値を設定することで調節することができる。
【００６１】
図６ｂを見れば、サブフィールド１では(a)のようにＥＲタイムを長くして輝度を低めて、 サブフィールド２では(c)のようにＥＲタイムを縮めてから任意の時点でサステインアップスイッチのターンオン時間を遅らせることで（ｂ）のようにＥＲタイムをより長くして、サブフィールド２の間に表現される輝度が線形的に減少されるようにする。
【００６２】
また、サブフィールド３では（ａ）のようにＥＲタイムを長くしてから任意の時点でサステインアップスイッチのターンオン時間を早めることで（ｃ）のようにＥＲタイムを可変してサブフィールド３間表現される輝度が線形的に増加されるようにする。
【００６３】
同じく、サブフィールド４では（ａ）のようにＥＲタイムを長くして表現される輝度を低めて、（ｂ）→（ｃ）→（ｄ）順にＥＲタイムを縮めさせることでサブフィールド４間表現される輝度が漸進的に増加されるようにする。
【００６４】
すなわち、 図６ｂに示すプラズマディスプレイ装置の駆動方法の他の実施形態では一つのサブフィールドのサステイン期間内でスキャン電極及び／又はサステイン電極に供給される複数のサステインパルスのＥＲタイムを時間的手順によって増加させるとか減少させるとかする例示である。
【００６５】
また、図６ｂには示されていないが、本発明によるプラズマディスプレイ装置の駆動方法はサブフィールドのサステイン期間内でスキャン電極及び／又はサステイン電極に供給される複数のサステインパルスのＥＲタイムを時間的手順によって増加させてから減少させることができる。
【００６６】
図６ｃを見れば、各単位サブフィールドの区間でスキャン電極及び／又はサステイン電極に印加されるサステインパルス数を同一して、同時に各サブフィールドで印加される一つ以上のサステインパルスのＥＲタイムを可変させるようにする。
【００６７】
すなわち、サブフィールド１では（ａ）のようにＥＲタイムを長くして表現される輝度を低めて、サブフィールド１間は等しいＥＲタイムを適用する。そしてサブフィールド２では（ｂ）から（ｃ）でＥＲタイムを縮めさせることで表現される輝度が線形的に増加されるようにする。 また、サブフィールド３では（ｃ）から（ａ）でＥＲタイムを延長させることで表現される輝度が線形的に減少されるようにする。
【００６８】
同じく、サブフィールド４では（ａ）のようにＥＲタイムを長くして表現される輝度を低めて、（ｂ）→（ｃ）→（ｄ）順にＥＲタイムを縮めさせることでサブフィールド４間表現される輝度が漸進的に増加されるようにする。
【００６９】
すなわち、 図６ｃに示すプラズマディスプレイ装置の駆動方法のまた他の実施形態は各サブフィールドごとに等しいサステインパルス数がスキャン電極及び／又はサステイン電極に印加される場合にも、等しいＥＲタイムを持つサステインパルスでサブフィールドを構成するとかまたは相異なＥＲタイムを持つ一つ以上のサステインパルスでサブフィールドを構成することで輝度を調整することができる。
【００７０】
特に、図６ｃのように本発明の実施形態は各サブフィールドの加重値を一画面に対して等しく配置することで、複数個のサブフィールドを組み合わせて階調を表現する場合に発生されるフリッカー（ｆｌｉｃｋｅｒ）現象を改善することができる。
【００７１】
以上、図６ａ乃至図６ｃで説明した本発明の一つの実施形態によるプラズマディスプレイ装置の駆動方法でサブフィールドのサステイン期間にスキャン電極及び／又はサステイン電極に印加されるサステインパルスの電圧やサステイン電圧が維持される時間がすべてのサステインパルスで同一のが望ましいがサステインパルスの電圧やサステイン電圧が維持される時間を各サステインパルスで異なるようにできる。
【００７２】
すなわち、一つのサブフィールドのサステイン期間内で複数のサステインパルスが時間的手順によって階調明るさが増加、減少あるいは増加してから減少する方向にスキャン電極及び／又はサステイン電極に供給されることができるように各サステインパルス電圧やサステインパルスのサステイン電圧維持時間を調節することができる。
【００７３】
このような方法でプラズマディスプレイ装置を駆動するようになれば、プラズマディスプレイパネルに表示される映像の階調表現力をより纎細にできる。
【図面の簡単な説明】
【００７４】
【図１】本発明の一つの実施形態によるプラズマディスプレイ装置を示すブロック図。
【図２】本発明の一つの実施形態によるプラズマディスプレイパネルの構造を示す図。
【図３】本発明によるプラズマディスプレイパネルの駆動方法を示す図。
【図４】本発明によるプラズマディスプレイパネルに供給されたサステインパルスのＥＲタイムと輝度の関係を示す図。
【図５】本発明の一つの実施形態によるサステインパルスのＥＲタイムを調節する方法を説明するための図。
【図６ａ】本発明の一つの実施形態によるプラズマディスプレイ装置でプラズマディスプレイパネルの電極に供給されるサステインパルスのＥＲタイムを各サブフィールドで変化させる方法を示す図。
【図６ｂ】本発明の一つの実施形態によるプラズマディスプレイ装置でプラズマディスプレイパネルの電極に供給されるサステインパルスのＥＲタイムを各サブフィールドで変化させる方法を示す図。
【図６ｃ】本発明の一つの実施形態によるプラズマディスプレイ装置でプラズマディスプレイパネルの電極に供給されるサステインパルスのＥＲタイムを各サブフィールドで変化させる方法を示す図。
【図１】
2007072465.tif 000003
【図２】
2007072465.tif 000004
【図３】
2007072465.tif 000005
【図４】
2007072465.tif 000006
【図５】
2007072465.tif 000007
【図６ａ】
2007072465.tif 000008
【図６ｂ】
2007072465.tif 000009
【図６ｃ】
2007072465.tif 000010